(57)【要約】  【課題】  レーザー照射で除去される遮蔽層と下地層との間に透明のラベル用シートが介在されて、下地層が破損せず印字が奇麗になる。【解決手段】  透光性のラベル用シート２の一方の片面に、着色非透光性の粘着剤層（下地層）４が積層され、当該ラベル用シート２の他方の片面に着色非透光性の上層インキ層（遮蔽層）３が積層され、上層インキ層（遮蔽層）３に対してレーザー光が照射されて一部が除去され、ラベル用シート２が露出されてこのラベル用シート２を通して粘着剤層（下地層）４まで透視される。上記粘着剤層（下地層）４の代わりに、透明透光性の粘着剤層５及び着色非透光性の下層インキ層（下地層）６、若しくは中層インキ層（下地層）７及び透明透光性または有色非透光性の粘着剤層８が積層されることもある。  【選択図】図１
2006150913.tif 000002
【特許請求の範囲】
【請求項１】
ラベルを作成するための透光性のラベル用シートの一方の片面に、着色非透光性の下地層を積層し、当該ラベル用シートの他方の片面に着色非透光性の遮蔽層を積層する工程であって、この下地層と遮蔽層とは対応する位置に積層され、
上記遮蔽層に対してレーザー光を照射して、当該遮蔽層の一部を除去してラベル用シートを露出させ、この遮蔽層を除去した箇所にて、透光性のラベル用シートを通して上記下地層まで透視させる工程とを備えたことを特徴とするラベルの印字方法。
【請求項２】
上記下地層は、粘着性を有する、着色非透光性の粘着剤層であることを特徴とする請求項１記載のラベルの印字方法。
【請求項３】
上記ラベル用シートと下地層との間には、粘着剤層が形成されていることを特徴とする請求項１または２記載のラベルの印字方法。
【請求項４】
上記下地層のラベル用シートと反対側には、粘着剤層が形成されていることを特徴とする請求項１、２または３記載のラベルの印字方法。
【請求項５】
上記遮蔽層の色と、上記下地層の色とは異なっていることを特徴とする請求項１、２、３または４記載のラベルの印字方法。
【請求項６】
上記請求項１、２、３、４または５のラベルの印字方法によって製造されたことを特徴とするラベル。
【請求項７】
ラベルを作成するための透光性のラベル用シートの一方の片面に、着色非透光性の下地層を積層し、当該ラベル用シートの他方の片面に着色非透光性の遮蔽層を積層する工程であって、この下地層と遮蔽層とは対応する位置に積層され、
上記遮蔽層に対してレーザー光を照射して、当該遮蔽層の一部を除去してラベル用シートを露出させ、この遮蔽層を除去した箇所にて、透光性のラベル用シートを通して上記下地層まで透視させる工程とを備えたことを特徴とするラベルの製造方法。
【発明の詳細な説明】
【技術分野】
【０００１】
本発明は、ラベル、ラベルの印字方法またはラベルの製造方法に関する。
【背景技術】
【０００２】
従来、レーザー等を用いて印字する方法が考えられている。このような印字では、例えば白色の白インキ層の上に黒色の黒インキ層を直接重ねて積層し、上層の黒インキ層にレーザー光線を照射し、黒インキ層を除去して下層の白色のインキ層を露出させていた。
【０００３】
【特許文献１】特許３２９３９２３号公報
【特許文献２】特開平９−１２３６０６号公報
【特許文献３】特開平９−１２３６０７号公報
【特許文献３】特開平９−１７５０１３号公報
【発明の開示】
【発明が解決しようとする課題】
【０００４】
しかしながら、このような印字方法では、上層黒インキ層を除去するとき、下層の白インキ層まで亀裂が入って破損したり、下層のインキ層の色を上層のインキ層の色と近似させたりすることはできなかった。なぜなら、レーザー印字のレーザー光はカーボンブラックに効果的に吸収されるので、上層のみならず下層も黒色系、例えば灰色にすると、下層インキ層まで除去されてしまうからである。
【０００５】
本発明は、上述した課題を解決するためになされたものであり、本発明の目的は、下層インキ層まで亀裂が入らず、レーザー印字において上層の色と下層の色とを同色系にする事が可能な印字方法を提供することである。
【課題を解決するための手段】
【０００６】
上記目的を達成するために、本発明は、透光性のラベル用シートの一方の片面に、着色非透光性の下地層を積層し、当該ラベル用シートの他方の片面に着色非透光性の遮蔽層を積層し、遮蔽層に対してレーザー光を照射して、当該遮蔽層の一部を除去してラベル用シートを露出させ、この遮蔽層を除去した箇所にて、透光性のラベル用シートを通して上記下地層まで透視させるようにした。
【発明の効果】
【０００７】
したがって、上層の遮蔽層と下層の下地層との間に透光性のラベル用シートがあるので、上層の遮蔽層を除去するとき、下層の下地層まで亀裂が入って破損する事がなくなる等の効果を奏する。透光性のラベル用シートでレーザー光が散乱するので、下層の下地層までレーザー光に代って除去されることがなくなり、上層の遮蔽層の色と下層の下地層の色とを同色系にすることもできる等の効果を奏する。
【発明を実施するための最良の形態】
【０００８】
（１）タックラベル１の構造
図１は、ラベル１の第１実施例の断面構造を示す。透明または半透明の透光性のラベル用シート（ラベル基材）２の上面（表面）には、インキ印刷ローラ（インキ印刷装置／フレキソ印刷装置、図示せず）によってインキ層等からなる有色の非透光性の上層インキ層（遮蔽層を意味する、以下同じ）３が印刷塗布されている。
【０００９】
この透光性のラベル用シート（ラベル基材）２の下面（裏面）には、接着パターン印刷ローラ（接着剤印刷装置／フレキソ印刷装置、図示せず）によって有色の非透光性の粘着剤層（下地層を意味する、以下同じ）４が印刷塗布されている。
【００１０】
図２は、ラベル１の第２実施例の断面構造を示す。透光性のラベル用シート（ラベル基材）２の上面（表面）または上面（表面）には、インキ印刷ローラ（インキ印刷装置／フレキソ印刷装置（図示せず）によって有色の非透光性の上層インキ層（遮蔽層を意味する、以下同じ）３が印刷塗布されている。
【００１１】
この透光性のラベル用シート（ラベル基材）２の下面（裏面）には、接着パターン印刷ローラ（接着剤印刷装置／フレキソ印刷装置、図示せず）によって透明または半透明の透光性の粘着剤層５が印刷塗布されている。この粘着剤層５の下面（裏面）には、インキ印刷ローラ（インキ印刷装置／フレキソ印刷装置、図示せず）によって有色の非透光性の下層インキ層（下地層を意味する、以下同じ）６が印刷塗布されている。この下層インキ層６は、上記粘着剤層５の粘着性を遮蔽する、粘着マスキングの役目を果たしている。
【００１２】
図３は、ラベル１の第３実施例の断面構造を示す。透光性のラベル用シート（ラベル基材）２の上面（表面）または上面（表面）には、インキ印刷ローラ（インキ印刷装置／フレキソ印刷装置（図示せず）によって有色の非透光性の上層インキ層（遮蔽層を意味する、以下同じ）３が印刷塗布されている。
【００１３】
この透光性のラベル用シート（ラベル基材）２の下面（裏面）には、インキ印刷ローラ（インキ印刷装置／フレキソ印刷装置、図示せず）によって有色の非透光性の中層インキ層（下地層を意味する、以下同じ）７が印刷塗布されている。この中層インキ層７の下面（裏面）には、接着パターン印刷ローラ（接着剤印刷装置／フレキソ印刷装置、図示せず）によって透明の透光性または有色の非透光性の粘着剤層８が印刷塗布されている。
【００１４】
上記下層インキ層６及び中層インキ層７の位置は、上層インキ層３の位置に対応している。上記下層インキ層６及び中層インキ層７の大きさは、上層インキ層３の大きさより若干若しくはかなり小さい、またはほぼ同じ大きさになっている。
【００１５】
なお、上記下層インキ層６、中層インキ層７または／及び上層インキ層３は、ラベル用シート２の上面全面または下面全面に印刷されてもよい。この場合、上層インキ層３がラベル用シート２の上面全面に印刷され、下層インキ層６が粘着剤層５の下面の一部、中層インキ層７がラベル用シート２の下面の一部に印刷されてもよい。
【００１６】
上層インキ層３の色は、上記有色の非透光性の粘着剤層４の色、下層インキ層６の色及び中層インキ層７の色と例えば補色の関係にあり、一方が黒なら他方は白となり、一方が黄なら他方は紫となり、一方が赤なら他方は緑となる。
【００１７】
なお、両色の組み合わせは、この補色以外の組み合わせであってもよい。上記有色の非透光性の粘着剤層８の色と上層インキ層３の色との関係も同様である。有色の非透光性の粘着剤層８の色と中層インキ層７の色とは同じまたは異なり若しくは同色系または近似色系であっていてもよい。
【００１８】
そして、上層インキ層３は多数箇所形成され、それぞれの色が互いに異なっていてもよく、中層インキ層７及び／または下層インキ層６も多数箇所形成され、それぞれの色が互いに異なっていてもよい。また、粘着剤層４、粘着剤層５、粘着剤層８も多数箇所形成され、それぞれの色が異なっていてもよい。
【００１９】
上述の用にして構成される各実施例のラベル１は、剥離台紙９の上に密着される。この剥離台紙９は  ラベル１と同じ大きさまたは長尺状で多数のラベル１が密着されたりする。このようなラベル１は、剥離台紙９から剥がされて、容器等の外面等に貼り付けられる、
【００２０】
（２）レーザー印字方法
レーザー印字では、積層体の各層のレーザー光に対する吸収の差を利用している。レーザー光は炭酸ガスレーザーが利用され、レーザーの波長は１０．６μｍである。この波長の光は、特定の着色剤、例えば、カーボンブラックには効果的に吸収されるため、カーボンブラックを含有する着色層に照射すると、これを吸収し発熱して昇華／除去／消滅／剥離／ミスト化／灰化されるが、酸化チタン（白）やカーボンブラック以外の通常の印刷インキ用着色剤にはあまり吸収されず、これらの着色剤を用いた着色層に照射しても吸収が少なく発熱も少なく昇華／除去／消滅／剥離／ミスト化／灰化されない。
【００２１】
したがって、上記上層インキ層３には、このカーボンブラックが混入され、有色の粘着剤層４、下層インキ層６、中層インキ層７及び／または有色の粘着剤層８には、この酸化チタン（白）等が混入される。
【００２２】
なお、レーザー光の波長を変えれば、上層インキ層３には、この酸化チタン（白）等、レーザー光を吸収して昇華する成分が混入され、有色の粘着剤層４、下層インキ層６、中層インキ層７及び／または有色の粘着剤層８には、このカーボンブラック等、レーザー光を吸収せず昇華しない成分が混入されてもよい。
【００２３】
なお、レーザー光の焦点を上層インキ層３だけに合わせれば、有色の粘着剤層４、下層インキ層６、中層インキ層７及び／または有色の粘着剤層８には、上層インキ層３と同じ成分であって、同じレーザー光の波長を吸収しながらも色の異なる成分を混入することができる。
【００２４】
この場合、有色・非透光性の上層インキ層３と、有色・非透光性の粘着剤層４、下層インキ層６、中層インキ層７または有色の粘着剤層８との間には、ラベル用シート２があって、互いに離れていて隣り合って接合していない。
【００２５】
したがって、有色の粘着剤層４、下層インキ層６、中層インキ層７及び有色の粘着剤層８には、レーザー光の焦点が合わず、上記発熱／昇華／除去／消滅／剥離／ミスト化／灰化がない。従って、レーザー光の焦点の設定精度は、多少ラフでもかまわないことになる。
【００２６】
また、透明・透光性とはいえラベル用シート２または粘着剤層５を通過する間にレーザー光が散乱してしまい、有色・非透光性の粘着剤層４、下層インキ層６、中層インキ層７及び有色・非透光性の粘着剤層８が発熱／昇華／除去／消滅／剥離／ミスト化／灰化してしまうことがない。したがって、レーザー光の焦点の設定精度は、正確に上層インキ層３だけに合わせずに多少ラフでもかまわないことになる。
【００２７】
従って、レーザーの吸収能を有する着色層に、レーザーを出力調整して集光し、文字などのパターン状に制御して照射することにより、照射された部分がその材質により、発熱／溶融／ミスト化、または発熱／分解／灰化し、パターン状に除去することができる。
【００２８】
しかし、レーザーの吸収能の少ない着色層では、レーザー光が照射されても、過度の出力でない限り、発熱も少なく除去されることはない。本発明のレーザー印字 用積層体では、炭酸ガスレーザーを使用して照射強度０．５〜２．０Ｊ／ｃｍ2 の範囲で出力調整することにより良好な印字が得られている。
【００２９】
さらに、レーザー光が照射されて除去される上層インキ層３と、有色・非透光性の粘着剤層４、下層インキ層６、中層インキ層７または粘着剤層８とは、直接接していないので、上層インキ層３の亀裂などの破損が、粘着剤層４、下層インキ層６、中層インキ層７または粘着剤層８まで伝わることがなく、粘着剤層４、下層インキ層６、中層インキ層７または粘着剤層８を良好に保つことができる。
【００３０】
またさらに、印字部分が抜かれる上層インキ層３と、有色・非透光性の粘着剤層４、下層インキ層６、中層インキ層７または粘着剤層８との間には、透明・透光性のラベル用シート２があるので、上層インキ層３の印字部分が浮き上がって立体的に見え、ラベル１への光の当たり方が変化すると、この印字部分の浮き上がり／立体視が変化して目立つことになる。
【００３１】
（３）ラベル１の素材・厚み
上記ラベル用シート（ラベル基材）２の素材は、プラスチックフィルム、合成紙、紙、箔、蒸着紙、蒸着されたプラスチックフィルムまたはこれらの混合または積層体などが用いられる。プラスチックフィルムは、例えば、ポリエチレンテレフタレートなどのポリエステル、ポリプロピレンなどのポリオレフィン、ポリ塩化ビニル、ポリスチレン、ポリアミド、セロファンなどの単体層フィルム、またはこれらの多層フィルムまたは蒸着フィルムである。
【００３２】
ラベル用シート２または／及び接合シート４は、一軸または二軸延伸或いは無延伸フィルムの何れであってもよいが、好ましくは熱収縮延伸フィルム（特にポリエステル、ポリスチレン、ポリプロピレン、ポリ塩化ビニルの熱収縮延伸フィルム）である。
【００３３】
このラベル用シート（ラベル基材）２の厚みは、一般には１５〜１００μｍ（ミクロン）、望ましくは２５〜８０μｍであり、また２００μｍ以上でもよく、ラベル１として取扱い性、作業性等が損なわれないように選択される。
【００３４】
上記上層インキ層３（遮蔽層）は、フレキソ印刷機等のアニロックスロール等によって、一定の厚み（６〜８ｇ／ｍ2）に印刷塗布され、紫外線が照射されて硬化される。上層インキ層３の厚みは、一般には３〜２０μｍ、望ましくは５〜１０μｍであり、また２０μｍ以上であってもよい。
【００３５】
この上層インキ層３の素材は、アクリル系モノマーまたはオリゴマーに、炭化水素系樹脂、重合禁止剤、酸化防止剤、光重合開始剤などが添加混合される。そして、この上層インキ層３には、カーボンブラック（墨）などの照射レーザー光に対して吸収能がある物質が混合される。この上層インキ層３の色は、混合される顔料などに応じて、黄、青、赤等、種々の色が可能であるが、カーボンブラック（墨）が混合されるため色は黒みを帯びる。
【００３６】
この上層インキ層３には、金属粉、金属酸化物、無機珪酸金属塩類、無機硼酸金属塩類などの白色素材も混合される。無機珪酸金属塩類・無機硼酸金属塩類は、レーザー用の増感剤である。無機珪酸金属塩類は、例えば、合成雲母、天然雲母、コージェライト、カリオン等である。無機硼酸金属塩類は、例えば、硼酸カルシウム、硼酸マグネシウム、硼酸アルミニウム等である。この白色素材によって、上記カーボンブラック（墨）の黒色が中和される。
【００３７】
上記下層インキ層６（下地層）及び中層インキ層７（下地層）は、フレキソ印刷機等のアニロックスロール等によって、一定の厚み（６〜８ｇ／ｍ2）に印刷塗布され、紫外線が照射されて硬化される。上層インキ層３の厚みは、一般には３〜２０μｍ、望ましくは５〜１０μｍであり、また２０μｍ以上であってもよい。
【００３８】
この下層インキ層６及び中層インキ層７の素材は、汎用酸化重合型または汎用紫外線硬化型のインキが使用され、アクリル系モノマーまたはオリゴマーに、炭化水素系樹脂、重合禁止剤、酸化防止剤、光重合開始剤などが添加混合される。この下層インキ層３及び中層インキ層７の色は、白、黒（墨）、金、銀、黄、青、赤等、混合される顔料に応じて種々の色が可能である。
【００３９】
上記粘着剤層４（下地層）、粘着剤層５、粘着剤層８（下地層）の素材のアクリル系モノマーまたはオリゴマーは、アクリル酸エチル、アクリル酸ブチル、アクリル酸２−エチルヘキシル等のアクルル酸アルキルエステルなどであり、場合によって、メタクリル酸ブチル、メタクリル酸２−エチルヘキシル等のメタクリル酸アルキルエステルもさらに混合され、さらに、カルボキシル基含有モノマー、ヒドロキシル基含有モノマーなどが共重合され、他に、ゴム系接着剤、シリコーン系接着剤も使用される場合がある。
【００４０】
上記粘着剤層４、粘着剤層５及び粘着剤層８は、１平方メートル当たり４．５乃至１６グラム、望ましくは５乃至１２グラム、より望ましくは６乃至８グラム印刷塗布される。粘着剤層４、粘着剤層５及び粘着剤層８の厚みは、１５〜４０μｍ、望ましくは２０〜３０μｍであり、また４００μｍ以上でもよい。
【００４１】
上記剥離台紙９の素材は、プラスチックフィルム、ポリラミネート紙、合成紙、紙またはこれらの混合または積層体などが用いられる。プラスチックフィルムとしては、ＰＥＴ（ポリエチレンテレフタレート）、ＰＰ（ポリプロピレン）、ＥＶＯＨ（エバール）、ＰＶＤＣ（塩化ビニリデン共重合体）、ＰＡＮ（アクリロニトリル共重合体）、ＯＮＹ（ナイロン）などがる。紫外線透過性の高いプラスチックフィルムとしては、ＰＶＡ（ポバール）、ＯＰＰ（ポリプロピレン）、ＰＥ（ポリエチレン）、などがある。
【００４２】
これらの剥離台紙９には、必要により剥離性の表面処理（剥離剤のコーティング等）が施される。剥離台紙９の厚みは、一般には３０〜１２０μｍ、望ましくは７０〜８０μｍであり、タックラベル１として取扱い性、作業性等が損なわれないように選択される。
【００４３】
（４）ラベル１の製造方法
図４は、上記ラベル１（例えば図２）の製造方法（印字方法を含む）及び製造装置（印字装置を含む）の一例を示す。
ラベル用シ−ト（ラベル基材）２は単体かつ長尺状でロール状にローラに巻回され、順次引き出される。この引き出されたラベル用シート２は、接着パターン印刷ローラ（接着剤印刷装置／フレキソ印刷装置）１１で、粘着剤４が、当該ラベル１の大きさに応じた所定間隔毎に部分印刷塗布される。
【００４４】
次いで、インキ印刷ローラ（インキ印刷装置／フレキソ印刷装置）１２で印刷パターンに応じた形でインキが印刷塗布される。これにより、ラベル１のパターンが所定間隔毎に印刷形成され、上記下層インキ層（下地層）６が印刷形成される。
【００４５】
剥離台紙９は長尺状でロール状にローラに巻回され、順次引き出される。この引き出された剥離台紙９は、ニップローラ（圧着ローラ）１３で上記ラベル用シート２の裏面（図４上側）に圧着／接合／積層されて密着される。
【００４６】
そして、ラベル用シート２は、ターンバー（反転装置）１４で表裏反転され、インキ印刷ローラ（インキ印刷装置／フレキソ印刷装置）１５で印刷パターンに応じた形でインキが印刷塗布される。これにより、ラベル１のパターンが所定間隔毎に印刷形成され、上記上層インキ層（遮蔽層）３が印刷形成される。
【００４７】
この上層インキ層３に対しては、レーザー照射装置１６によって印字が行われ、照射された部分の上層インキ層３が発熱／昇華／除去／消滅／剥離／ミスト化／灰化される。印字されたラベル用シート２は、ハーフカット型抜き装置（ダイカットローラ）１７で剥離台紙９及びラベル１部分だけ残してハーフカットされ、ラベル１部分が接合したままの剥離台紙９は、ラベル１のシートとしてローラ１８に巻き取られる。また、残りのラベル用シート等は、カス上げ１９としてローラに巻き取られる。
【００４８】
この図４のラベル１の製造装置／製造方法は、上記図２のラベル１を製造するものである。図１のラベル１を製造する場合には、インキ印刷ローラ１２が省略され、下層インキ層６の印刷が省略される。また、図３のラベル１を製造する場合には、接着パターン印刷ローラ１１とインキ印刷ローラ１２とが入れ替わり、中層インキ層（下地層）７の下（図４では上側）に粘着剤層８が積層される。
【００４９】
なお、図４において、レーザー照射装置１６は省略されて、ラベル１がレーザー印字されないでローラ１８に巻き取られ、さらに、容器にラベルを貼る別の装置にこのレーザー照射装置１６が設置されてもよい。
【００５０】
この場合、ローラ１８の長尺状に巻き取られたラベル１が取り外され、容器にラベルを貼る別の装置にこのローラ１８が装着され、このローラ１８からラベル１が順次取り出されるに従って、ラベル１に対して上記レーザー印字が実行され、この後ラベルが剥離台紙９からはがされて容器に貼り付けられる。
【００５１】
さらに、レーザー印字前にラベル１が剥離台紙９からはがされ、容器にラベル１が貼り付けられた後に、上記レーザー印字が実行されてもよい。この場合、レーザー光線は容器に貼り付けられたラベル１に対して直接照射される。
【００５２】
（５）他の実施の形態
本発明は、上記実施例に限定されず、種々変更可能である。例えば、レーザー印字によって印字されるパターンは、文字のほか、記号、図形、模様等であってもよい。また、遮蔽層（上層インキ層）３の除去は、レーザー光以外に、同様の除去機能を発揮できる手段ならば、何でもよい。
【００５３】
さらに、下地層（粘着剤層４、下層インキ層６、中層インキ層７）は、着色マスキングフィルム、ＯＰニス、セロハン、ラベル用シート２に転写される薄膜、樹脂膜、薄紙、金属箔、布地など、着色・非透光性の積層材であればどのようなものでもよい。
【００５４】
また、遮蔽層（上層インキ層）３も、着色マスキングフィルム、ＯＰニス、セロハン、ラベル用シート２に転写される薄膜、樹脂膜など、レーザー光の照射によって除去される成分が含まれていれば、どのような素材でもよく、着色・非透光性の積層材であればどのようなものでもよい。
【００５５】
さらに、ラベル１の表面には、ラベル１の表面を保護するためＯＰ（オーバープリント）ニスまたはＵＶＯＰ（耐紫外線オーバープリント）ニスなどの保護層を形成してもよい。このような保護層の形成は上記レーザー印字前でも同印字後であってもよい。
【００５６】
上記剥離台紙９は省略され、製造されたラベル１が直接容器に貼着／接着されてもよい。ラベル１が貼り付けられる容器としては、ＰＥＴボトルなどのプラスチック製、ガラス製、金属製などでもよい。ラベル１は、タックラベルのほか、ラミネートフィルム、シール、ワッペン、レッテル、ステッカー、タグなど、本発明の印字方法によって印字されるあらゆる印字体を含む。したがって、本件「ラベル」はレーザー照射による「印字体」「印字対象」「印刷体」「印刷対象」などとして成立する。
【００５７】
図３において粘着剤層８が有色・非透光性であれば、上記上層インキ層（遮蔽層）３は中層インキ層（下地層）７に対応するだけでなく、粘着剤層８まではみ出してもよい。上層インキ層（遮蔽層）３は、粘着剤層（下地層）（有色・非透光性）４、下層インキ層（下地層）（有色・非透光性）６及び中層インキ層（下地層）７より小さいまたは同じ大きさであるが、かなり大きくてもよい。
【００５８】
この場合、下地層４、６、７のない箇所に対応している遮蔽層３の印字部分は透明となって背景が透けた状態となるか、または粘着剤層８が見えることになる。これでもラベル／印字体としては成立する。
【００５９】
上記遮蔽層３及び下地層４、６、７の間には、ラベル用シート２のほか、種々の透明体または半透明体等の透光性素材が複数多層に介在されてもよいし、さらには種々の有色・非透光性の素材も複数多層に介在されてもよい。また、遮蔽層３及び下地層４、６、７自体も複数色の非透光性の素材が積層されたものでもよい。
【００６０】
（６）他の発明の効果
［１］ラベルを作成するための透光性のラベル用シートの一方の片面に、着色非透光性の下地層を積層し、当該ラベル用シートの他方の片面に着色非透光性の遮蔽層を積層する工程であって、この下地層と遮蔽層とは対応する位置に積層され、  上記遮蔽層に対してレーザー光を照射して、当該遮蔽層の一部を除去してラベル用シートを露出させ、この遮蔽層を除去した箇所にて、透光性のラベル用シートを通して上記下地層まで透視させる工程とを備えたことを特徴とするラベルの印字方法。
【００６１】
これにより、上層の遮蔽層と下層の下地層との間に透光性のラベル用シートがあるので、上層の遮蔽層を除去するとき、下層の下地層まで亀裂が入って破損する事がなくなる。また、透光性のラベル用シートでレーザー光が散乱するので、下層の下地層までレーザー光に代って除去されることがなくなる。
【００６２】
［２］上記下地層は、粘着性を有する、着色非透光性の粘着剤層であることを特徴とする請求項１記載のラベルの印字方法。これにより、下地として独立のインキ層が不要となり、粘着剤層がインキ層を兼ねることができる。
【００６３】
［３］上記ラベル用シートと下地層との間には、粘着剤層が形成されていることを特徴とする請求項１または２記載のラベルの印字方法。これにより、下地層を上層の遮蔽層に対応した箇所だけにすることができ、下地層で粘着剤層を遮蔽して粘着材のマスキングを行うことができる。
【００６４】
［４］上記下地層のラベル用シートと反対側には、粘着剤層が形成されていることを特徴とする請求項１、２または３記載のラベルの印字方法。これにより、下地層を上層の遮蔽層に対応した箇所だけにすることができ、下地層の下面にも粘着剤層を形成できる。
【００６５】
［５］上記遮蔽層の色と、上記下地層の色とは異なっていることを特徴とする請求項１、２、３または４記載のラベルの印字方法。これにより、レーザー印字された箇所が色彩的に目立ってラベルが見やすくなる。
【００６６】
［６］上記粘着剤層は上記下地層によって粘着性が遮蔽されることを特徴とする請求項３記載のラベルの印字方法。これにより、部分的に粘着剤の機能を発揮させたくない箇所を下地層で遮蔽することができる。
【００６７】
［７］上記請求項１、２、３、４、５または６のラベルの印字方法によって製造されたことを特徴とするラベル。これにより、上層の遮蔽層と下層の下地層との間に透光性のラベル用シートがあるので、上層の遮蔽層を除去するとき、下層の下地層まで亀裂が入って破損する事がなくなる。また、透光性のラベル用シートでレーザー光が散乱するので、下層の下地層までレーザー光に代って除去されることがなくなる。
【００６８】
［８］ラベルを作成するための透光性のラベル用シートの一方の片面に、着色非透光性の下地層を積層し、当該ラベル用シートの他方の片面に着色非透光性の遮蔽層を積層する工程であって、この下地層と遮蔽層とは対応する位置に積層され、  上記遮蔽層に対してレーザー光を照射して、当該遮蔽層の一部を除去してラベル用シートを露出させ、この遮蔽層を除去した箇所にて、透光性のラベル用シートを通して上記下地層まで透視させる工程とを備えたことを特徴とするラベルの製造方法。
【００６９】
これにより、上層の遮蔽層と下層の下地層との間に透光性のラベル用シートがあるので、上層の遮蔽層を除去するとき、下層の下地層まで亀裂が入って破損する事がなくなる。また、透光性のラベル用シートでレーザー光が散乱するので、下層の下地層までレーザー光に代って除去されることがなくなる。
【産業上の利用可能性】
【００７０】
レーザー照射で除去される遮蔽層と下地層との間に透明のラベル用シートが介在されて、下地層が破損せず印字が奇麗になる。透光性のラベル用シート２の一方の片面に、着色非透光性の粘着剤層（下地層）４が積層され、当該ラベル用シート２の他方の片面に着色非透光性の上層インキ層（遮蔽層）３が積層され、上層インキ層（遮蔽層）３に対してレーザー光が照射されて一部が除去され、ラベル用シート２が露出されてこのラベル用シート２を通して粘着剤層（下地層）４まで透視される。上記粘着剤層（下地層）４の代わりに、透明透光性の粘着剤層５及び着色非透光性の下層インキ層（下地層）６、若しくは中層インキ層（下地層）７及び透明透光性または有色非透光性の粘着剤層８が積層されることもある。
【図面の簡単な説明】
【００７１】
【図１】透明・透光性のラベル用シート２の下の粘着剤層（下地層）４を有色・非透光性とした、ラベル１の第１実施例の断面構造を示す。
【図２】透明・透光性の粘着剤層５の下に有色・非透光性の下層インキ層（下地層）６を形成した、ラベル１の第１実施例の断面構造を示す。
【図３】透明・透光性のラベル用シート２と粘着剤層８との間に有色・非透光性の中層インキ層（下地層）７を形成した、ラベル１の第３実施例の断面構造を示す。
【図４】ラベル１（図２の例）の製造方法及び製造装置を示す。
【符号の説明】
【００７２】
１…ラベル、２…ラベル用シート（透明・透光性）、
３…上層インキ層（遮蔽層）（有色・非透光性）、
４…粘着剤層（下地層）（有色・非透光性）、
５…粘着剤層（透明・透光性）、
６…下層インキ層（下地層）（有色・非透光性）、
７…中層インキ層（下地層）（有色・非透光性）、
８…粘着剤層（透明・透光性または有色・非透光性）、
９…剥離台紙、
１１…接着パターン印刷ローラ（接着剤印刷装置／フレキソ印刷装置）、
１２…インキ印刷ローラ（インキ印刷装置／フレキソ印刷装置）、
１３…ニップローラ（圧着ローラ）、
１４…ターンバー（反転装置）、
１５…インキ印刷ローラ（インキ印刷装置／フレキソ印刷装置）、
１６…レーザー照射装置、
１７…ハーフカット型抜き装置（ダイカットローラ）、
１８…ローラ、１９…カス上げ。
【図１】
2006150913.tif 000003
【図２】
2006150913.tif 000004
【図３】
2006150913.tif 000005
【図４】
2006150913.tif 000006